(57)【要約】【課題】シャッターに邪魔されずに、能率よく配線工事ができる電動式シャッターを提供する。【解決手段】巻胴１６と、屋内に設けられた操作器から配線されたコードにより電源を与えられて駆動されて、巻胴を回転させるためのモータとを備えたシャッター本体を、シャッターボックス内に取付けてなる電動式シャッターにおいて、コードを、一端がモータに接続されたシャッター本体側コードと、一端が屋内の操作器に接続された建物側コードとに分割し、シャッターボックスには、その天板と巻胴との間にシャッター本体側コードの他端と建物側コードの他端とを接続し、かつ、その接続部及びその周辺の余剰部分を収容保持するための配線空間を設けた。接続部及びその周辺の余剰部分を収容保持するためのコードホルダーを配線空間に摺動自在に備えた。【選択図】　　　図２
2004076300.tif 000002
【特許請求の範囲】
【請求項１】
多数の横スラットを連結してなるシャッターを巻き取ったり巻き戻したりするための巻胴と、屋内に設けられた操作器から配線されたコードにより電源を与えられて駆動されて、前記巻胴を回転させるためのモータとを備えたシャッター本体を、シャッターボックス内に取付けてなる電動式シャッターにおいて、
前記コードは、一端が前記モータに接続されたシャッター本体側コードと、一端が前記屋内の操作器に接続された建物側コードとに分割され、
前記シャッターボックスには、その天板と前記巻胴との間に、前記シャッター本体側コードの他端と建物側コードの他端とを接続し、かつ、その接続部及びその周辺の余剰部分を収容保持するための配線空間が設けられていることを特徴とする電動式シャッター。
【請求項２】
シャッター本体側コードと建物側コードの接続部及びその周辺の余剰部分は、前記配線空間に備えたコードホルダーに保持されていることを特徴とする請求項１に記載された電動式シャッター。
【請求項３】
シャッターボックスの配線空間はシャッターボックスの天板により形成され、コードホルダーは前記天板の下面に備えられていることを特徴とする請求項１に記載された電動式シャッター。
【請求項４】
コードホルダーは、天板の下面に形成されている係合部に係合して、前記天板の長手方向に摺動可能に保持されていることを特徴とする請求項１に記載された電動式シャッター。
【発明の詳細な説明】
【０００１】
【発明の属する技術分野】
本発明は、電動式シャッター、とくに、シャッターボックス内に配線されるものに関する。
【０００２】
【従来の技術】
一般に、電動式シャッターは、シャッターボックス内に回転自在に取付けられ、多数の横スラットを連結してなるシャッターを巻き取ったり巻き戻したりするための巻胴と、前記シャッターボックス内に備えられ、前記巻胴を回転させるためのモータとを有する。
そして、前記モータを駆動するためには、屋内に設けられた操作器からモータに電源と制御を与えるためのコードが配線されるが、そのコードは、通常、一端が前記モータに接続されたシャッター本体側コードと、一端が前記屋内の操作器に接続された建物側コードとに分割されている。従って、シャッターボックスを建物に取付ける際に、シャッター本体側コードと建物側コードとを接続する作業が必要である。
【０００３】
従来の電動式シャッターにおいては、建物に取付けたシャッターボックスの巻胴よりも下側にサッシ上枠との間に形成される空間を配線空間として利用し、前記コードの接続をその配線空間において行っていた。
【０００４】
【発明が解決しようとする課題】
ところが、巻胴にはシャッターが巻き付けてあり、最短状態にしても、巻胴から若干量垂下するため、コードの接続作業をする間は、その垂下しているシャッターが邪魔にならないように手で押し上げる必要があった。そのため、作業者がシャッターを押し上げる者と、コードを接続する者の少なくとも２名が必要となり、しかも、コード接続作業は、巻胴の下面とサッシ上枠との間の狭い配線空間で行わねばならないので、作業能率が低いという問題があった。
【０００５】
本発明は、上記の点に鑑みてなされたものであり、その課題は、巻胴に巻き付けてあるシャッターに影響されることなく、簡単に能率よくコード接続作業ができるようにした電動式シャッターを提供することにある。
また、シャッターボックス内に配線されたコードを首尾よく整頓された状態で保持できるようにすることにある。
【０００６】
【課題を解決するための手段】
上記課題を解決するため、本発明は、多数の横スラットを連結してなるシャッターを巻き取ったり巻き戻したりするための巻胴と、屋内に設けられた操作器から配線されたコードにより電源を与えられて駆動されて、前記巻胴を回転させるためのモータとを備えたシャッター本体を、シャッターボックス内に取付けてなる電動式シャッターにおいて、前記コードは、一端が前記モータに接続されたシャッター本体側コードと、一端が前記屋内の操作器に接続された建物側コードとに分割され、前記シャッターボックスには、その天板と前記巻胴との間に、前記シャッター本体側コードの他端と建物側コードの他端とを接続し、かつ、その接続部及びその周辺の余剰部分を収容保持するための配線空間が設けられていることを特徴としている。
上記構成により、建物側コードの他端を屋外側に延出して置き、シャッター本体を既設のシャッターボックスに取付ける際に、シャッター本体側コードと建物側コードとを配線空間において接続し、そのコードの接続部及びその周辺の余剰部分を配線空間に収容して保持することができる。
【０００７】
シャッター本体側コードと建物側コードの接続部及び余剰部分は、配線空間に備えたコードホルダーに保持されていることが望ましい。
これにより、コードの接続部及び余剰部分が乱雑にならずに保持される。
【０００８】
シャッターボックスの配線空間は、シャッターボックスの天板により形成され、コードホルダーはその天板の下面に備えられていることが望ましい。
これにより、配線空間の形成が容易であり、コードホルダーの設置スペースの確保が容易である。
【０００９】
さらに、コードホルダーは、天板の下面に形成されている係合部に係合して、前記天板の長手方向に摺動可能に保持されていることが望ましい。
これにより、コードホルダーをコードの接続部及び余剰部分に応じて天板の長手方向に摺動して、コードホルダーの取付位置を容易に変更できる。
【００１０】
【発明の実施の形態】
次に、本発明の実施の形態について、添付図面を参照して説明する。
図１は窓サッシの上端部に取付けられた電動式シャッターのボックスカバーを取り外した状態の斜視図、図２は電動式シャッターのボックスカバーを装着したシャッターボックス周辺の縦断面図、図３は本発明によるコード配線の手順を説明する分解斜視図、図４はシャッター本体側コードと建物側コードの接続及び保持作業を説明する工程図である。
【００１１】
図１において、ＷＦは周知の窓サッシであり、上、下枠１，２と左右の縦枠３，４を既知の方法により既知の矩形枠体に接続した構造を有しており、外壁Ｗに形成されている窓開口Ｏの周辺外側面に通常の方法で取り付けられている。
【００１２】
窓サッシＷＦの外壁Ｗへの取付け後に、上枠１の上側にシャッターボックスＢが接続されている。このシャッターボックスＢは、天板５と背面板６と左右両端部に設けられる側板７，８とを接続して、正面及び下面に開放する箱状に形成されている。そして、天板５の屋外側端部に形成された係合凹部９に、ボックスカバー１０の上端部に形成されている係合突起１１を、ボックスカバー１０をその下部が手前側になるように斜め状態にして挿入し、再び垂直状態に戻すことにより、係合突起１１が係合凹部９に係合されて、シャッターボックスＢの正面がボックスカバー１０により覆われ、そのボックスカバー１０をビスなどにより天板５及び／又は側板７，８に固着されている。これにより、シャッターボックスＢは、上面、正面、背面及び底面のシャッター昇降口を除く部分が閉鎖された箱状になるように構成されている。
【００１３】
図３に示すように、左右両側板７，８の対向面には、後述されるシャッター本体Ｓを受入れて固定するための支持金具１２，１３が取付けられている。
【００１４】
図１，２，３において、Ｓはシャッター本体であって、シャッターボックスＢの支持金具１２，１３の間隔とほぼ等しい間隔をもって左右に配置された一対の金属製の固定部材１４，１５と、固定部材１４，１５の間に回転自在に備えられた巻胴１６と、巻胴の中に収納されて一方の固定部材１４に固定され、回転軸が巻胴に接続されているモータ１７と、巻胴の中に収納されて一端が他方の固定部材１５に固定され、他端が巻胴に接続されているコイルバネ（不図示）と、多数の横スラットを屈曲自在に連結してなるシャッター１８とを有している。１８ａはシャッター１８の巻き終端部に設けられたボトムバーである。
【００１５】
シャッター本体Ｓの固定部材１４，１５には、その前後の巻胴１６の高さよりも低くない位置において互いに対向する方向に突出する持ち手１９，２０が設けられており、その持ち手を用いてシャッター本体Ｓを容易に持ち運ぶことができる。そして、一端がモータ１７に接続されたコードＣａは一方の固定部材１４の中と、シャッター本体Ｓの後の持ち手２０の中に通され、その先端から引き出されている。
【００１６】
シャッター本体Ｓは、持ち手１９，２０を介して持ち上げ、図３に矢印Ａで示す方向に移動して、左右の固定部材１４，１５をシャッターボックスＢの支持金具１２，１３の間に嵌合し、固定部材１４，１５の下端部を支持金具１２，１３の下端部に形成してある受け溝１２ａ，１３ａに嵌合することにより、図１及び図２に示されているように、シャッター本体ＳをシャッターボックスＢ内に取付けることができるようになっている。固定部材１４，１５を支持金具１２，１３内の所定位置まで嵌合したときは、図２及び図３に示すように、シャッター本体Ｓの固定部材１４，１５の上面とシャッターボックスＢの天板５の係合凹部９を形成している前部下端との間に上り止めピース２１を押入して介在させることにより（図２参照）、シャッター本体ＳをシャッターボックスＢに確実に固定できるようになっている。
【００１７】
さて、上記構成において、一端がシャッター本体Ｓのモータ１７に接続されているコード（以下、シャッター本体側コードという。）Ｃａと、一端が屋内側に設けてある操作器（図示省略）に接続されているコード（以下、建物側コードという。）Ｃｂとの接続を容易にするため、本発明においては、次のような構成が付加されている。
すなわち、シャッターボックスＢの天板５は、係合凹部９を形成する立上がり部の上端部から屋内方向に延在させることにより、天板５と巻胴１６の上端部との間に空間２２を形成し、その空間をコードＣａ，Ｃｂの接続作業とコードＣａ，Ｃｂの接続部及びその周辺の余剰部分を収容して保持するための配線空間としている。
そして、その配線空間２２には、シャッターボックスＢの長手方向に長いコードホルダー２３を設けることができるようになっている。コードホルダー２３は、樹脂板又は薄鋼板などの弾性を有する材料で、長さが一例として２０〜３０ｃｍ程度の樋状に形成され、好ましくは、幅方向両端部を天板５の下面の屋内外方向に隔てた位置に形成されている係合部５ａに係止して、シャッターボックスＢの長手方向に摺動自在に保持されている。係合部５ａには、天板５をシャッターボックスＢの側板７，８に、窓サッシの縦枠３，４がシャッターボックスＢの側面まで上方に延長されている場合はその縦枠に、固着するビスをねじ込むために設けられるビスホールを用いることができる。ビスホールがない場合は、新たに係合部を形成すれば良い。
【００１８】
また、シャッターボックスＢの背面板６には、シャッター本体Ｓのモータ取付け側に近い位置、図示の例では固定部材１４に近い位置において、コード貫通用の孔２４が、予め、すなわち、シャッターボックスＢにシャッター本体Ｓを取付ける前に設けてある。
【００１９】
以上の構成を有する電動式シャッターを取付ける際のシャッター本体側コードＣａと建物側コードＣｂの配線及び接続（これらを配線工事と総称する場合がある。）は、次の手順に従って行われる。すなわち、
１）シャッターボックスＢを接続した窓サッシＷＦを所定位置に取付ける。
２）孔２４から環状のコード保護材２５を装着した建物側コードＣｂを屋外側から孔２４に挿通するとともに、外壁Ｗに設けてある孔に貫通する。この建物側コードＣｂの一端は、適当な時期に屋内側の操作器（不図示）に接続される。
３）シャッターボックスＢ内に残った建物側コードＣｂに装着してあるコード保護材２５を孔２４に嵌着し（図２参照）、そのコードの他端のコネクタ２６をシャッターボックスＢの天板５の下面などに粘着テープ等で仮止めしておく。これにより、一応の配線がなされる。
４）次に、シャッターボックスＢの天板５の係合部５ａにコードホルダー２３を嵌着する。
５）窓サッシの縦枠３，４のそれぞれの屋外側部分に、シャッター１８の左右両端部を昇降自在に嵌合して案内するガイドレール２７を既知の方法により結合する。
６）図４（ａ）に示すように、シャッターボックスＢにシャッター本体Ｓを上述したように嵌合し、上がり止めピース２１により固定する。
７）次に、シャッターボックスＢの天板５とシャッター本体Ｓの巻胴１６との間から配線空間２２に手を挿入して、シャッター本体側コードＣａの他端と建物側コードＣｂの他端をコネクタ２８により接続する。この接続作業をするときは、コードホルダー２３は、障害にならない位置に控えて置く｛図４（ｃ）参照｝。そして、コード接続後は、各コードの余剰部分を外側に引き出して揃え｛図４（ｂ）参照｝、これを周知の結束バンド２９でコードが弛まないように結束し、続いて、コードホルダー２３をコードの収容に適する位置まで摺動し、そのコードホルダー２３にコードＣａ，Ｃｂの接続部（コネクタ部分）及びその周辺の余剰部分を収納する。
以上で、コードの接続及び収納作業、すなわち、配線工事が終了する。
【００２０】
配線工事が終了した後は、図１に示すように、ボックスカバー１０を上述したようにして、シャッターボックスＢの天板５の係合部９を利用して装着し、タッピングビスなどで天板５及び／又は側板７，８に固着することにより、電動式シャッターの取付けが完了する。
【００２１】
上記実施の形態においては、巻胴の上側に配線空間が形成されているので、シャッターボックスＢにシャッター本体Ｓを取付けた状態でも、シャッター１８に邪魔されずに、配線空間における配線工事を行うことができるから、作業者の必要数の削減が可能であり、かつ、配線工事の能率も向上する。
また、天板５の形状を段状に形成するだけの若干の設計変更のみで、巻胴１６の上側に容易に配線空間２２を備えることができる。従って、コスト増大なしに、配線工事が簡単にできる電動式シャッターを提供することができる。
さらに、コードホルダー２３を摺動自在に保持しているので、配線工事をする時は障害にならない位置に置き、配線工事を終えたら適当な位置に移動して、コードの接続部及び余剰部分を容易にかつ弛みのない安定した状態で収容保持することができる。
【００２２】
上記実施の形態は、本発明を窓サッシに取付けられた電動式シャッターに適用した場合の例であるが、本発明は、テラスサッシに取付けられた電動式シャッターに適用することもできることは、多言を要しない。
【００２３】
【発明の効果】
上述のように、本発明によれば、巻胴に巻き付けてあるシャッターに影響されることなく、簡単に能率よく配線工事ができる。
【００２４】
また、シャッターボックス内にコードホルダーを備えた場合は、シャッター本体側コードと建物側コードの接続部及び余剰部分がコードホルダーに結束した状態で保持できるから、コードが乱雑に放置されている場合には生じ易いシャッター開閉に伴う振動等によるコード接続部の電気的接続状態の悪化や、騒音発生の問題が生じない。
【００２５】
シャッターボックスの配線空間をシャッターボックスの天板により形成し、コードホルダーを天板の下面に備える場合は、シャッターボックスの下側のサッシ上枠の存在による制限を受けずに配線空間を設けやすい。また、コードホルダーを取付け易い。
【００２６】
さらに、コードホルダーを、天板の下面に形成されているビスホールに係合して、天板の長手方向に摺動可能に保持する場合は、コードホルダーを備えるためにとくにコストがかかることがなく、しかも、配線工事をする際はコードホルダーを邪魔にならない位置に置き、配線工事が終えた時は、コードの接続部及び周辺の余剰部分の収納保持に適する位置に容易に移動できるので、配線工事の能率向上に有効であり、かつ、コードに弛みが生じにくい位置で収容保持することができる。
【図面の簡単な説明】
【図１】窓サッシの上端部に取付けられた本発明に係る電動式シャッターのボックスカバーを取り外した状態の斜視図。
【図２】同ボックスカバーを装着したシャッターボックス周辺の縦断面図。
【図３】本発明に係る電動式シャッターの要部の分解斜視図。
【図４】本発明に係る電動式シャッターにおける配線工事の手順を説明する工程図。
【符号の説明】
Ｂ　　シャッターボックス
５　　　　　天板
６　　　　　背面板
７，８　　　側板
Ｓ　　シャッター本体
１４，１５　固定部材
１６　　　　巻胴
１７　　　　モータ
１８　　　　シャッター
１９，２０　持ち手
２１　　　　上り止めピース
２２　　　　配線空間
Ｃａ　　　　シャッター本体側コード
Ｃｂ　　　　建物側コード
２３　　　　コードホルダー
５ａ　　　　係合部
【図１】
2004076300.tif 000003
【図２】
2004076300.tif 000004
【図３】
2004076300.tif 000005
【図４】
2004076300.tif 000006